(57)【要約】【課題】アナログ表示の電子時計、および、その電子時計により携帯端末などの外部機器が受信した情報の概要をユーザーに報知する情報報知システムを提供する。【解決手段】指針と、標識が印された標識部と、外部機器としてのスマートフォン５０から該スマートフォン５０が受信したメッセージ情報に基づく情報を受信する通信部３０と、を有し、予め決められた時に関する標識を指示するように指針を制御して第１表示モードを実行する第１制御部４１と、指針制御データに基づいた方向を指示するように指針を制御して第２表示モードを実行する第２制御部４２と、を備え、指針制御データは、スマートフォン５０が受信したメッセージ情報の主旨に基づく指針制御を含むことを特徴とする。【選択図】図３
2016133442.tif 000002
【特許請求の範囲】
【請求項１】
指針と、
標識が印された標識部と、
外部機器から、前記外部機器が受信したメッセージ情報の主旨に基づく情報を受信する通信部と、
前記情報に基づいて、前記指針が前記標識部を指示するように前記指針を制御する制御部と、
を含むことを特徴とする電子時計。
【請求項２】
請求項１に記載の電子時計において、
前記制御部は、
時に関する前記標識を前記指針が指示するように前記指針を制御する第１表示モードを実行する第１制御部と、
前記情報に基づいて前記標識部を前記指針が指示するように前記指針を制御する第２表示モードを実行する第２制御部と、を含み、前記第２制御部は、さらに、前記第２表示モードであることを示す動作を前記指針が行うように前記指針を制御することを特徴とする電子時計。
【請求項３】
請求項２に記載の電子時計において、
前記標識部は、前記時に関する情報の標識を含む第１標識部と、
前記第１標識部とは異なる情報の標識を含む第２標識部と、を備えたことを特徴とする電子時計。
【請求項４】
請求項２または請求項３に記載の電子時計において、
前記指針と、前記指針に対応する前記標識部とを含む指針表示部を複数備えたことを特徴とする電子時計。
【請求項５】
請求項２〜請求項４のいずれか一項に記載の電子時計において、
前記第２表示モードであることを通知する通知手段をさらに備えたことを特徴とする電子時計。
【請求項６】
電子時計と、
前記電子時計との間で送受信を行う外部側通信部を有する外部機器と、
を備えた情報報知システムであって、
前記電子時計は、
指針と、
標識が印された標識部と、
前記外部機器から、前記外部機器が受信したメッセージ情報の主旨に基づく情報を受信する通信部と、
前記情報に基づいて、前記指針が前記標識部を指示するように前記指針を制御する制御部と、を有し、
前記情報は、前記外部機器から送信される前記外部機器が受信したメッセージ情報の内容に基づいて決定された方向を前記指針が指示するように前記指針を制御する指針制御データを含み、
前記制御部は、予め決められた時に関する前記標識を指示するように前記指針を制御して第１表示モードを実行する第１制御部と、前記指針制御データに基づいた方向を指示するように前記指針を制御して第２表示モードを実行する第２制御部と、を備え、
前記指針制御データは、前記外部機器が受信したメッセージ情報の主旨に基づく指針制御をさらに含むことを特徴とする情報報知システム。
【発明の詳細な説明】
【技術分野】
【０００１】
本発明は、アナログ表示の電子時計、および、電子時計により携帯端末などの外部機器が受信した情報の概要をユーザーに報知する情報報知システムに関する。
【背景技術】
【０００２】
従来、例えば、特許文献１に記載されているように、受信した電子メールの未読件数や、未確認の不在者着信数の情報を送信する送信手段を有する外部機器としての携帯電話と、その携帯電話から送信された情報を受信し、受信した電子メールの未読件数や、未確認の不在者着信数の情報を表示するデジタル表示式の表示手段を有する電子時計と、を備えた情報報知システム（携帯電話システム）が知られていた。
【０００３】
一方、例えば特許文献２には、アナログ表示式の電子時計（指針表示装置）を用いた情報報知システム（情報表示システム）が紹介されている。特許文献２に記載の電子時計において、ベゼルの３時方向に標識「ＭＡＩＬ」が設けられ、９時方向に標識「ＴＥＬ」が設けられている。また、電子時計には、第１の指針としての時針と、第２の指針としての分針とが、文字板の中央に設定された略同一の回転軸に対して同心的に、且つ、各々独立に回転可能に設けられている。時針の回転軸側の円盤部には、円周上に複数の数字を示す標識が設けられ、分針の回転軸側の円盤部には、切欠部が設けられ、文字板を平面視したときに、分針の切欠部から時針の標識のうちの一部の数字が視認されるように構成されている。電子時計は、外部機器としてのスマートフォンから、スマートフォンが受信した情報の種類（電話、電子メールなど）や発信者情報などの情報を受信し、その情報を、分針または時針が指示するベゼルの標識（「ＭＡＩＬ」、「ＴＥＬ」）によりユーザーに報知したり、分針の切欠部からみえる時針の数字により発信者情報（識別番号登録された発信者毎の電子メールアドレスなど）をユーザーに報知したりできるようになっている。
【先行技術文献】
【特許文献】
【０００４】
【特許文献１】特開２０１１−４９８０１号公報
【特許文献２】特開２０１３−１７０９６８号公報
【発明の概要】
【発明が解決しようとする課題】
【０００５】
特許文献１または特許文献２に記載の情報報知システムによれば、例えば、バッグに収納した携帯電話やスマートフォンなどの外部機器が受信した電子メールや電話などの情報のうちの少なくとも一部を、外部機器をバッグから取り出すことなく、腕に装着したアナログ表示式の電子時計により確認することができる。特許文献２によれば、このような機能をアナログ表示式の電子時計で実現できる。ここで、電子時計により表示する外部機器の情報に含まれる発信者の感情や重要度などの主旨や緊急度などを確認できることが望ましい。しかしながら、特許文献２の情報報知システムでは、電子時計に表示させる情報が、電子メールか電話かの情報の種類や、発信者の登録電子メールアドレスや電話番号に限られており、情報の主旨や緊急度などは認識することができないという課題があった。
【課題を解決するための手段】
【０００６】
本発明は、上述の課題のうち少なくとも一部を解決することを目的としたものであり、外部機器が受信した情報の主旨や緊急度などユーザーに報知することが可能なアナログ表示式の電子時計、および当該電子時計と外部機器とを備えた情報報知システムを提供することを目的とする。
【０００７】
［適用例１］  本適用例にかかる電子時計は、指針と、標識が印された標識部と、外部機器から、前記外部機器が受信したメッセージ情報の主旨に基づく情報を受信する通信部と、前記情報に基づいて、前記指針が前記標識部を指示するように前記指針を制御する制御部と、を含むことを特徴とする。
【０００８】
本適用例において、外部機器が受信したメッセージ情報の「主旨」は、例えばメッセージ情報に含まれる単語、文章、絵文字、アイコン、感嘆符などの記号などから推測でき、メッセージ情報発信者が伝えたい事柄、意図、要望、緊急度、あるいは感情などを含む。
本適用例によれば、メッセージ情報の主旨に基づく情報に基づいて制御部が指針を制御することにより、外部機器が受信したメッセージ情報の事柄、意図、要望、緊急度、あるいはメッセージ情報発信者の感情などの要旨を、電子時計を見ることによって認識することができる。
したがって、例えば、外部機器をバッグなどに収納した状態であっても、外部機器を手元に取り出すことなく、腕などに装着した電子時計をみることにより、外部機器が受信した発信者の感情を含むメッセージ情報の主旨を確認することが可能なアナログ表示式の電子時計を提供することができる。
【０００９】
［適用例２］  上記適用例にかかる電子時計において、前記制御部は、時に関する前記標識を前記指針が指示するように前記指針を制御する第１表示モードを実行する第１制御部と、前記情報に基づいて前記標識部を前記指針が指示するように前記指針を制御する第２表示モードを実行する第２制御部と、を含み、前記第２制御部は、さらに、前記第２表示モードであることを示す動作を前記指針が行うように前記指針を制御することを特徴とする。
【００１０】
本適用例によれば、ユーザーは、電子時計が指針により表示している情報が、通常の時刻表示をする第１表示モードであるか、または、外部機器が受信した情報に基づいた第２表示モードであるかを識別することができる。
したがって、時刻（第１表示モード）の読み間違えや、第２表示モードの見逃しを抑制することができる。
【００１１】
［適用例３］  上記適用例にかかる電子時計において、前記標識部は、前記時に関する情報の標識を含む第１標識部と、前記第１標識部とは異なる情報の標識を含む第２標識部と、を備えたことを特徴とする。
【００１２】
本適用例によれば、通常の時刻表示で用いる第１標識部とは別に、第２標識部を備えているので、第２表示モードの情報を識別しやすいという効果が得られる。
【００１３】
［適用例４］  上記適用例にかかる電子時計において、前記指針と、前記指針に対応する前記標識部とを含む指針表示部を複数備えたことを特徴とする。
【００１４】
本適用例によれば、指針と標識部とによる指針表示部を複数備えているので、外部機器が受信したメッセージ情報の主旨や発信者の感情などの複数の情報を電子時計により表示してユーザーに報知することができる。
【００１５】
［適用例５］  上記適用例にかかる電子時計において、前記第２表示モードであることを通知する通知手段をさらに備えたことを特徴とする。
【００１６】
本適用例によれば、電子時計が、外部機器からの情報を表示する第２表示モードになったことをユーザーに報せて、ユーザーによる電子時計の確認を促すことができるので、外部機器からの情報の見逃しが抑えられる。
【００１７】
［適用例６］  本適用例にかかる情報報知システムは、電子時計と、前記電子時計との間で送受信を行う外部側通信部を有する外部機器と、を備え、前記電子時計は、指針と、複数の標識が円周上に印された標識部と、前記外部機器から、前記外部機器が受信したメッセージ情報の主旨に基づく情報を受信する通信部と、前記情報に基づいて、前記指針が前記標識部を指示するように前記指針を制御する制御部と、を有し、前記情報は、前記外部機器から送信される前記外部機器が受信したメッセージ情報の内容に基づいて決定された方向を前記指針が指示するように前記指針を制御する指針制御データを含み、前記制御部は、予め決められた時に関する前記標識を指示するように前記指針を制御して第１表示モードを実行する第１制御部と、前記指針制御データに基づいた方向を指示するように前記指針を制御して第２表示モードを実行する第２制御部と、を備え、前記指針制御データは、前記外部機器が受信したメッセージ情報の主旨に基づく指針制御をさらに含むことを特徴とする。
【００１８】
本適用例によれば、電子時計の第２制御部によって第２表示モードを実行することにより、外部機器が受信したメッセージ情報の主旨や発信者の感情を、電子時計により認識することができる。
したがって、例えば、外部機器をバッグなどに収納した状態であっても、外部機器を取り出すことなく、腕などに装着した電子時計をみることにより、外部機器が受信したメッセージ情報の主旨や発信者の感情などを確認することが可能な情報報知システムを提供することができる。
【図面の簡単な説明】
【００１９】
【図１】実施形態１に係るアナログ電子時計を含む情報報知システムの全体構成を示す説明図。
【図２】実施形態１に係るアナログ電子時計を示す正面図。
【図３】情報報知システム内部の概略構成を示すブロック図。
【図４】アナログ電子時計による、スマートフォンが受信したメッセージ情報の主旨の表示方法の一例を示す説明図。
【図５】アナログ電子時計による、スマートフォンが受信したメッセージ情報の主旨の表示方法の他の例を示す説明図。
【図６】実施形態２に係るアナログ電子時計を示す正面図。
【図７】実施形態２に係るアナログ電子時計による、スマートフォンが受信したメッセージ情報の主旨の表示方法の一例を示す説明図。
【図８】変形例に係る情報報知システムの内部の概略構成を示すブロック図。
【発明を実施するための形態】
【００２０】
以下、本発明の実施形態について、図面を参照して説明する。なお、以下の各図においては、各層や各部材を認識可能な程度の大きさにするため、各層や各部材について実際とは異なる尺度で示している場合がある。
【００２１】
（実施形態１）
図１は、実施形態１に係るアナログ電子時計を含む情報報知システムの全体構成を示す説明図である。図２は、実施形態１に係るアナログ電子時計を示す正面図である。
まず、実施形態１に係る情報報知システム１００の概略構成について説明する。
【００２２】
図１において、情報報知システム１００は、アナログ電子時計１と、外部機器としてのスマートフォンとにより構成される。スマートフォン５０は、アナログ電子時計１との間で送受信を行う外部側通信部１３０を備え、アナログ電子時計１は、その外部側通信部１３０を介してスマートフォンとの間で送受信を行う通信部３０を備えている。アナログ電子時計１の通信部３０が、外部側通信部１３０を介してスマートフォン５０から情報を受信すると、この受信された情報に基づいてアナログ電子時計では報知動作が行われる。
【００２３】
次に、情報報知システム１００におけるアナログ電子時計１の概要について説明する。図２において、アナログ電子時計１は、指針としての時針１１、分針１２、および秒針１３と、文字板１４とを備えたアナログ表示式の腕時計である。アナログ電子時計１は、さらに、外装ケース２０と、時刻合わせ等を行う竜頭２と、リセット動作などを行うボタン３，４とを備える。外装ケース２０は、略円筒状のケース本体２１と、ケース本体２１の上面側に嵌合構造により取り付けられるリング状のベゼル２５と、ベゼル２５の内周面に取り付けられて文字板１４をカバーするカバーガラス２４とを備えている。
【００２４】
文字板１４には、その周縁に沿って時刻表示用の標識としての目盛６が設けられている。アナログ電子時計１において、時刻表示用の標識である目盛６の設置領域を第１標識部１６と呼ぶ。なお、本実施形態では、目盛６により時刻表示用の第１標識部１６を形成した例を図示しているが、第１標識部１６の時刻表示用の標識は目盛６に限らず、時刻を示す数字を植字して構成してもよい。
【００２５】
また、ベゼル２５には、第１標識部１６の時刻に関する情報とは異なる情報の標識を含む第２標識部１７が設けられている。本実施形態の第２標識部１７は、ベゼル２５の円周を、０時、３時、６時、９時の位置を境界にして四分割して各領域を色分けした標識７ａと、文字板１４の目盛６と同様にベゼル２５の円周に沿って等間隔に１２個設けた標識７ｂとを含む。このうち標識７ａは、例えば、ベゼル２５の０時から３時の領域を緑色に、３時から６時の領域を黄色に、６時から９時の領域を赤色に、９時から０時の領域を青色に色分けすることができる。このようにすることにより、ベゼル２５に設けた各標識７ａ毎の色毎に、表示させる情報をカテゴリー分けして割り付け、ユーザーに判り易く報知することができる。また、各色の標識７ａは、目的に応じて、時計回りに徐々に色を濃く変化させたグラデーションを施した構成としてもよく、あるいは、各境界にて隣り合う色の混色領域を形成してもよい。このようにすることにより、情報の定量的な度合などを、色や色の濃淡の変化によってユーザーに判り易く報知することができる。なお、第２標識部１７により表示する「時刻に関する情報とは異なる情報」の詳細については後述する。また、以下では円周に沿って標識を配置する例を説明するが、ベゼル２５が例えば矩形である場合や、標識部の少なくとも１つが矩形である場合には、当該矩形（円形以外の形状）の周に沿って標識を配置しても良いことは勿論である。
【００２６】
図３は、アナログ電子時計１およびスマートフォン５０により構成される情報報知システム１００の内部の概略構成を示すブロック図である。
図３において、情報報知システム１００は、上述したように、アナログ電子時計１およびスマートフォン５０により構成される。なお、スマートフォン５０については、情報報知システム１００における情報報知手段としてのアナログ電子時計１との通信にかかる構成に絞って図示および説明をするものとし、スマートフォン５０が有する表示部や操作部、および通信方式等の基本的な構成については公知であるため、図示や詳細な説明を省略する。
【００２７】
アナログ電子時計１は、第１制御部４１および第２制御部４２を含む制御部４０と、通信部３０と、計時回路６０と、上述した各指針を回転させるステッピングモーター７５と、ステッピングモーター７５をステップ駆動するステッピングモーター駆動回路７０と、記憶部８０などを備えている。
【００２８】
制御部４０は、ＣＰＵ（Ｃｅｎｔｒａｌ  Ｐｒｏｃｅｓｓｉｎｇ  Ｕｎｉｔ）により構成され、アナログ電子時計１の全体動作の統括制御、および、各種演算処理を行う。この制御部４０において、第１制御部４１は、アナログ電子時計１による第１表示モードとしての時刻表示の制御を行う。即ち、計時回路６０の計数する現在時刻に基づいてステッピングモーター駆動回路７０によりステッピングモーター７５を駆動させ、上述の時針１１、分針１２、秒針１３により第１表示モードとしての時刻表示を行わせる。また、制御部４０において、第２制御部４２は、アナログ電子時計１において、時刻表示（第１表示モード）とは異なる第２表示モードの表示の制御を行う。即ち、第２制御部４２は、通信部３０を介してスマートフォン５０から取得された指針制御データを含む情報に基づいて表示内容を決定し、この表示内容に従ってステッピングモーター駆動回路７０によってステッピングモーター７５を駆動させ、時針１１、分針１２、秒針１３のうち少なくとも一部により第２表示モードの情報を表示させる。なお、第２制御部４２により行う各指針の制御は、現在の表示状態が第２表示モードであることをユーザーに認識させる動作を各指針が行う制御を含む。
【００２９】
記憶部８０は、ＲＯＭ（Ｒｅａｄ  Ｏｎｌｙ  Ｍｅｍｏｒｙ）８１およびＲＡＭ（Ｒａｎｄｏｍ  Ａｃｃｅｓｓ  Ｍｅｍｏｒｙ）８２を含む。ＲＯＭ８１は、制御部４０（ＣＰＵ）が実行する種々のプログラムや初期設定データを格納する。ＲＯＭ８１には、スマートフォン５０と通信部３０を介して無線通信を行うための通信プログラムが含まれる。また、ＲＡＭ８２は、制御部４０（ＣＰＵ）に作業用のメモリー空間を提供する。
【００３０】
計時回路６０は、現在時刻を計数して保持するカウンターである。この計時回路６０から現在時刻が読み出されて、時針１１、分針１２、秒針１３によって表示されたり、当該現在時刻データと各種機能に係る設定時刻データとが比較されて種々の動作が行われたりする。
【００３１】
通信部３０は、スマートフォン５０などの外部機器との間で無線通信を行うためのモジュールを含み、例えばＢｌｕｅｔｏｏｔｈ（登録商標）通信（Ｂｌｕｅｔｏｏｔｈ（登録商標））を行うＢｌｕｅｔｏｏｔｈ（登録商標）モジュールや、ＵＡＲＴ（Ｕｎｉｖｅｒｓａｌ  Ａｓｙｎｃｈｒｏｎｏｕｓ  Ｒｅｃｅｉｖｅｒ）を備える。外部機器から通信部３０を用いて受信された受信データは、ＵＡＲＴでシリアル／パラレル変換などの処理が行われて制御部４０（ＣＰＵ）へ出力される。また、制御部４０から送られた送信データは、ＵＡＲＴでシリアル／パラレル変換などの処理が行われて、Ｂｌｕｅｔｏｏｔｈ（登録商標）モジュールなどの通信モジュールを介してスマートフォン５０などの外部機器に送信される。
【００３２】
スマートフォン５０は、ＲＦ送受信回路１１０、ＣＰＵ１２０、外部側通信部１３０、指針制御データ生成部１４０、記憶部１８０などを備えている。この他に、スマートフォン５０は、図示を省略する表示部、内蔵時計、操作部、マイク、スピーカー、コーデックなど、スマートフォンが通常有する周知の構成を有している。
【００３３】
ＲＦ送受信回路１１０は、ＲＦ送受信用アンテナＡＮ１１を用いて携帯電話基地局との間で行われる電話通信や電子メールなどのパケット通信の送受信処理を行う。
【００３４】
記憶部１８０は、不揮発性の読み書き可能  メモリーであり、例えば、フラッシュメモリーやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）である。この記憶部１８０には、例えば、登録された電話番号を記憶する電話帳データ、登録された電子メールアドレスを記憶するアドレス帳データ、スマートフォン５０で実行する種々のアプリケーションプログラムや各種機能に係る保存データや設定データが記憶される。さらに、記憶部１８０には、スマートフォン５０が受信した電話通信の留守録音の音声データや、電子メールのテキストデータなどのメッセージ情報に含まれる、単語、文章、絵文字、アイコン、あるいは感嘆符などの記号などを解析し、メッセージ情報発信者が伝えたい事柄、意図、要望、緊急度、感情などのメッセージ情報の主旨を推察するメッセージ情報解析用のアプリケーションプログラムが記憶されている。
【００３５】
指針制御データ生成部１４０は、記憶部１８０に記憶されている上述のアプリケーションプログラムを実行して、スマートフォン５０が受信したメッセージ情報の主旨（事柄、意図、要望、緊急度、感情など）を推察し、その推察結果をアナログ電子時計１の各指針の指示する標識によりユーザーに報知するための指針制御データを生成する。
【００３６】
ＣＰＵ１２０は、スマートフォン５０の上述した各部の動作を含む全体動作の統轄制御および各種演算を行う。また、ＣＰＵ１２０は、予めユーザーが設定した設定情報に基づいて、外部側通信部１３０に制御信号を送ってアナログ電子時計１との通信接続を確立する。そして、ＣＰＵは、スマートフォン５０に電話の着信や電子メールの着信があると、アナログ電子時計１に対して電話の発信者や電子メールの送信者に関する着信情報や、着信したメッセージ情報に基づいて指針制御データ生成部１４０が生成した指針制御データをアナログ電子時計１に送信する。
【００３７】
次に、上述の情報報知システム１００において、アナログ電子時計１による、スマートフォン５０が受信したメッセージ情報の主旨の表示方法について、具体的に２つの例を挙げて説明する。図４は、アナログ電子時計１による、スマートフォンが受信したメッセージ情報の主旨の表示方法の一例を示す説明図である。図４に示すアナログ電子時計１では、時刻表示モード（第１表示モード）から、時刻表示とは異なる第２表示モードに切り替わったことを、秒針１３によりユーザーに認識させる。図４では、秒針１３が、通常の運針方向とは逆の反時計回りに動くことにより、現在の表示が第２表示モードであることをユーザーに認識させる。このように、時刻表示モードとは明らかに異なる表示をアナログ電子時計１に実行させることにより、第２表示モードであることをユーザーにより確実に認識させることができる。
【００３８】
秒針１３の動きにより、アナログ電子時計１の表示が第２表示モードに切り替わったことを認識したユーザーは、時針１１および分針１２が指示する第２標識部１７の標識７ａ，７ｂにより、第２表示モードの情報（「時刻に関する情報とは異なる情報」）の内容を読み取る。ここで、第２標識部１７の各標識７ａ，７ｂが示す第２表示モードの情報の定義は予め決定されており、アナログ電子時計１に初期設定されている構成とすることができるが、ユーザーが設定する構成としてもよい。なお、本実施形態では、時針１１および分針１２の各指針毎に設定された第２標識部１７の各標識７ａ，７ｂが示す第２表示モードの情報の定義の一例を説明するが、これに限らず、各指針毎が指示する各標識が示す情報の定義は、多様なバリエーションにて設定することができることは言うまでもない。
【００３９】
図４に示すアナログ電子時計１では、秒針１３の動く方向が示す第２表示モードにおいて、スマートフォン５０が受信した情報が、電話であるか、または電子メールであるかを、時針１１が指示する標識により示す。本実施形態では、ベゼル２５の第２標識部１７の竜頭２が設けられている方向を３時位置としたとき、その３時位置の標識７ｂを「電話」、９時位置の標識７ｂを「電子メール」と定義する。
【００４０】
また、分針１２が指示する標識は電話の着信や未読メールの「件数」を示し、文字板１４における時刻表示用の標識である目盛６と同じ数字を割り当てる。即ち、第２標識部１７において、１時位置の標識７ｂが「１件」、２時位置の標識７ｂを「２件」、のように順次「件数そのもの」として割り当てる。そして、例えば１０時位置よりも１１時位置方向を分針１２が指示した状態を「１０件以上」あるいは「多数」と定義する。具体例として、図４の実線の時針１１および分針１２は、「電話の着信」が「２件」あることを示し、図４の破線の時針１１および分針１２は、「電子」メールが「１０件以上」または「多数」受信されていることを示している。また、ユーザーは、ベゼル２５が色分けされた第２標識部１７の標識７ａの色や色の濃さなどにより、電話の着信件数または電子メールの受信件数が「ない」「少ない」「やや多い」「非常に多い」などの状況を視覚的に認識することができる。
【００４１】
図５は、アナログ電子時計１による、スマートフォン５０が受信したメッセージ情報の主旨の表示方法の他の例を示す説明図である。図５に示す表示方法は、上述の受信情報の種類や着信・未読件数とは異なる、例えば、メッセージ情報の送信者情報や緊急度などを表示する方法を示す。図５において、時針１１により、スマートフォン５０が受信した情報の発信者のカテゴリーや個人の特定を表示し、分針１２により、メッセージ情報の緊急度や、メッセージ情報に含まれる発信者の感情などを表示する。本実施形態では、ベゼル２５の円周を、０時、３時、６時、９時の位置を境界にして四分割して色分けした標識７ａの各領域を、発信者のカテゴリーの類別に用いる。例えば、０時位置から３時位置の領域（標識７ａ）を「会社」、３時位置から６時位置の領域（標識７ａ）を「家族」、６時位置から９時位置の領域（標識７ａ）を「友人」、９時位置から時計回りに０時までの領域（標識７ａ）を「その他」とする。
【００４２】
そして、各領域（標識７ａ）毎の標識７ｂが示す時刻の数字に特定の個人を割り当てる。例えば、図５において時針１１が指示する第２標識部１７の領域は「家族」であり、標識７ｂが示す時刻の数字「４」を「妻」として設定しておく。また、分針１２により指示する第２標識部１７の定義として「緊急度」を表す場合に、０時位置から時計回りに緊急度が高くなると定義する。例えば、０時位置から３時位置の領域（標識７ａ）を「緊急性なし」、３時位置から６時位置の領域（標識７ａ）を「緊急度小」、６時位置から９時位置の領域（標識７ａ）を「緊急度中」、９時位置から時計回りに０時までの領域（標識７ａ）を「緊急度高」とする。
【００４３】
具体例として、図５において、秒針１３が反時計方向に動いていることにより第２表示モードであることを示した状態において、ユーザーは、時針１１が第２標識部１７の３時位置から６時位置の領域の標識７ａを示していることにより、スマートフォン５０に家族からの着信があったことを認識し、さらに、時針１１が第２標識部１７の４時位置の標識７ｂを指示していることにより、着信が妻からであることを知り、分針１２が第２標識部１７の９時位置から０時位置の領域の標識７ａを指示していること、あるいは指示している標識７ａの色によって、妻からの着信の緊急度が高いことを認識して、直ぐにスマートフォン５０の確認をするなどの行動に移る判断を行うことができる。なお、緊急度が高いメッセージ情報は、そのメッセージに含まれる文字などの情報から推察される場合や、同じ人から何度も着信があった場合などに、スマートフォン５０の指針制御データ生成部１４０により判断される。
【００４４】
また、分針１２により、スマートフォン５０が受信したメッセージ情報に含まれる発信者の感情を表示することもできる。例えば、上述した第２標識部１７の標識７ａにより画定される４つの領域を、例えば、４つの領域を、それぞれ「喜び・激励」、「悲しみ」、「怒り」「特になし」と定義して割り当てる。各領域が示す感情は、上述したスマートフォン５０のＣＰＵ１２０、記憶部１８０、および指針制御データ生成部１４０が行う指針制御データ生成時に、受信したメッセージ情報の単語、文章、絵文字、アイコン、あるいは感嘆符などの記号の解析により推察される。例えば、メッセージ情報に「喜び」「嬉しい」「ありがとう」などの単語や「！」などの感嘆符が含まれる場合、「喜び・激励」の情報だと推察することができ、「訃報」などの単語が含まれる場合、「悲しみ」の情報と推察することができる。「特になし」は、感情を表す単語や符号の無い、単なる短い情報の伝達メッセージと推察された場合に表示される。
【００４５】
以上述べたように、本実施形態に係るアナログ電子時計１を含む情報報知システム１００によれば、以下の効果を得ることができる。
本実施形態の情報報知システム１００によれば、アナログ電子時計１の第２制御部４２により第２表示モードを実行することによって、外部機器としてのスマートフォン５０が受信したメッセージ情報の主旨や発信者の感情などの多様な情報を、アナログ表示式のアナログ電子時計１により表示してユーザーに認識させことができる。これにより、スマートフォン５０をバッグなどに収納した状態であっても、スマートフォン５０を取り出すことなく、腕に装着したアナログ電子時計１をみることにより、スマートフォンが受信したメッセージ情報の主旨や発信者の感情などを確認することができる。
【００４６】
また、本実施形態のアナログ電子時計１において、制御部４０の第２制御部４２が行う制御は、時刻を表示する第１表示モードとは異なる第２表示モードであることを示す動作を秒針１３などの指針が行う制御を含む構成とした。これにより、ユーザーは、アナログ電子時計１が指針により表示している情報が、通常の時刻表示をする第１表示モードであるか、または、スマートフォン５０が受信した情報に基づいた第２表示モードであるかを識別することができるので、時刻（第１表示モード）の読み間違えや、第２表示モードの見逃しを防ぐことができる。
【００４７】
また、本実施形態のアナログ電子時計１において、各指針が指示して情報を示す標識部は、時刻を含んだ時に関する情報の標識としての目盛６を含む第１標識部１６と、第１標識部１６とは異なる情報（第２表示モードで表示する情報）の標識７ａ，７ｂを含む第２標識部１７と、を備えた構成とした。第２表示モードの情報表示は、時刻表示用の標識を兼用してもよいが、本実施形態の構成によれば、通常の時刻表示で用いる第１標識部１６とは別に、第２標識部１７を備えているので、第２表示モードの情報を識別しやすいという効果が得られる。
【００４８】
（実施形態２）
図６は、実施形態２に係るアナログ電子時計を示す正面図である。図７は、実施形態２に係るアナログ電子時計による情報報知の一例を示す正面図である。
以下、実施形態２に係るアナログ電子時計、および、それを用いた情報報知システムの情報報知方法などについて、これらの図を参照して説明する。なお、実施形態１と同一の構成部位については同一の符号を付し、重複する説明は省略する。
【００４９】
図６において、実施形態２に係るアナログ電子時計２０１は、文字板１４の周縁に沿って設けられた時刻表示用の標識としての目盛６と、文字板１４の中心位置の同軸上に配置された時針１１、分針１２、および秒針１３とにより時刻を表示する第１表示部を有している。この第１表示部を含め、アナログ電子時計２０１には、指針、および、その指針に対応する標識部からなる指針表示部が複数設けられている。本実施形態のアナログ電子時計２０１は、上述の第１表示部の他に、文字板１４に３つの指針表示部（小針表示部）が設けられた、所謂クロノグラフ時計である。３つの指針表示部は、具体的には、文字板１４の竜頭２が設けられている方向を３時位置としたときの６時位置に、日付を表示する日表示部２０８が設けられ、日表示部２０８の中心にはクロノグラフ用の日表示針２０９が設けられている。また、文字板１４の９時位置には、２４時間時刻を表示する２４時表示部２１２が設けられ、２４時表示部２１２の中心位置にはクロノグラフ用の２４時表示針２１４が設けられている。また、文字板１４の１２時位置には、曜を表示する曜表示部２１１が設けられ、曜表示部２１１の中心位置にはクロノグラフ用の曜表示針２１３が設けられている。
【００５０】
図７は、本実施形態のアナログ電子時計２０１による、スマートフォンが受信したメッセージ情報の主旨の表示方法の一例を示す説明図である。図７において、アナログ電子時計２０１の時針１１、分針１２、および秒針１３は、時刻表示（第１表示モード）を行う。そして、文字板１４に配置された３つの小針表示部により、スマートフォン５０が受信したメッセージ情報の要旨を表示する。本実施形態では、日表示部２０８にて、スマートフォン５０にメッセージ情報を発信した発信者を表示し、２４時表示部２１２により、メッセージ情報の内容の緊急度や、そこに含まれる感情を表示する例を説明する。
【００５１】
アナログ電子時計２０１によるスマートフォン５０が受信したメッセージ情報の要旨の報知では、まず、３つの小針表示部のうち、文字板１４に正対して上方に位置して目立ちやすい曜表示部２１１により、アナログ電子時計２０１の現在の表示が、時刻表示（第１表示モード）ではなく第２表示モードであることを表示する。具体的には、曜表示部２１１の曜表示針２１３が、通常の運針方向とは逆の反時計回りに動くことにより、現在の表示が第２表示モードであることをユーザーに認識させる。
【００５２】
曜表示部２１１の曜表示針２１３の動きによって、アナログ電子時計２０１の表示が第２表示モードに切り替わったことを認識したユーザーは、日表示部２０８にて、スマートフォン５０にメッセージ情報を発信した発信者を、また、２４時表示部２１２により、メッセージ情報の内容の緊急度、および、そこに含まれる感情などのメッセージの要旨を読み取る。日表示部２０８では、その周縁部に形成された１から３１までの目盛を含む数字に、予め登録者が割り当てられており、例えば、９時位置の数字２３から０時位置の数字３１までは「非登録者」として、スマートフォン５０（情報報知システム１００）に登録されていない者からの通信であった場合は、その領域を日表示針２０９により指示するようにする。図７では、登録番号「１１」に割り当てられた登録者が情報の発信者であることをユーザーが認識できる。
【００５３】
また、２４時表示部２１２の周縁部に形成された０から２３までの数字および目盛は、０から時計回りに徐々にメッセージ情報の緊急度が高くなることを示す標識（第２標識部）になっている。本実施形態では、２４時表示部２１２の数字「２１」を２４時表示針２１４が指示しており、スマートフォン５０が受信したメッセージ情報の緊急度が非常に高いことが読み取れる。ここで、「緊急度」に換えて、メッセージ情報に含まれる送信者の「感情」を報知する場合は、上述の実施形態１のアナログ電子時計１の分針１２による感情の報知方法（図５を参照）と同様な方法を用いることができる。なお、本実施形態では、第２表示モードの情報の定義の一例を説明したが、これに限らず、各小針表示部毎が指示する各標識が示す情報の定義は任意に変更して設定することができ、多様なバリエーションにて実行できることは言うまでもない。
【００５４】
以上述べたように、本実施形態に係るアナログ電子時計２０１によれば、実施形態１での効果に加えて、指針と標識部とによる指針表示部（小針表示部）を複数備えているので、スマートフォン５０が受信したメッセージ情報の主旨や発信者の感情などの複数の情報を表示させて、ユーザーに報知することができる。
【００５５】
なお、本発明は上述した実施形態に限定されず、上述した実施形態に種々の変更や改良などを加えることが可能である。変形例を以下に述べる。
【００５６】
（変形例）
図８は、変形例に係る情報報知システムの内部の概略構成を示すブロック図である。  上記実施形態では、アナログ電子時計１，２０１が時刻表示モード（第１表示モード）から、スマートフォン５０が受信したメッセージ情報の主旨を報知する第２表示モードに切り替わったことを、指針（秒針１３および曜表示針２１３）の動きによって表示する構成として説明したが、この構成に限定するものではない。以下、変形例に係る情報報知システム１００´について説明する。なお、上記実施形態と同一の構成部位については、同一の符号を附し、重複する説明は省略する。
【００５７】
図８において、変形例に係る情報報知システム１００´は、上記実施形態１の情報報知システム１００（図３を参照）の構成に加えて、アナログ電子時計１，２０１が、時刻を表示する第１表示モードから、スマートフォン５０が受信したメッセージ情報の主旨を表示する第２表示モードに切り替わったことをユーザーに通知する通知部２５０を備えている。
【００５８】
通知部２５０は、制御部４０の第２制御部４２に接続され、第２制御部４２の制御により、ユーザーにアナログ電子時計１，２０１の表示が第２表示モードであることを通知する発光部２７０、音出力部２８０、および振動部２９０を含んで構成されている。ただし、通知部２５０は、これらの構成要素の一部を削除又は変更し、あるいは、他の構成要素を追加した構成であってもよい。
【００５９】
発光部２７０は、例えば、アナログ電子時計１，２０１の文字板１４の視認可能な領域に配置され、第２制御部４２の制御により光を点灯あるいは点滅させることにより、アナログ電子時計１，２０１の各指針および標識部による表示が、第２表示モードであることを通知する。
【００６０】
また、音出力部２８０は、例えば、スピーカーやブザーなどで実現することができ、第２制御部４２の制御により、チャイム音、ブザー音、あるいは音声などの音として出力して、アナログ電子時計１，２０１の表示が第２表示モードであることを通知する。
【００６１】
また、振動部２９０は、例えば、振動モーターなどにより実現することができ、第２制御部４２の制御により、アナログ電子時計１，２０１を装着したユーザーに振動を感じさせるように振動することにより、アナログ電子時計１，２０１の表示が第２表示モードであることを通知する。
【００６２】
以上述べたように、本変形例に係るアナログ電子時計１，２０１を含む情報報知システム１００´によれば、上記実施形態の効果に加えて、以下の効果を得ることができる。即ち、本変形例の情報報知システム１００´によれば、アナログ電子時計１，２０１が、外部機器としてのスマートフォン５０からの情報（メッセージ情報の主旨）を表示する第２表示モードになったことをユーザーに知らせて、ユーザーによるアナログ電子時計１，２０１の確認を促すことができるので、アナログ電子時計１，２０１を介したスマートフォンが受信したメッセージ情報の見逃しが抑えられる。また、アナログ電子時計１，２０１の指針の指示を用いることなく第２表示モードであることをユーザーに通知するので、指針を用いた情報（スマートフォン５０が受信した情報の主旨）の種類を増やすことができるという効果を奏する。
【符号の説明】
【００６３】
１，２０１…アナログ電子時計、２…竜頭、３，４…ボタン、６…標識としての目盛、７ａ，７ｂ…標識、１１…時針、１２…分針、１３…秒針、１４…文字板、１６…第１標識部、１７…第２標識部、２０…外装ケース、２１…ケース本体、２４…カバーガラス、２５…ベゼル、３０…通信部、４０…制御部、４１…第１制御部、４２…第２制御部、５０…外部機器としてのスマートフォン、６０…計時回路、７０…ステッピングモーター駆動回路、７５…ステッピングモーター、８０…記憶部、８１…ＲＯＭ、８２…ＲＡＭ、１００，１００´…情報報知システム、１１０…ＲＦ送受信回路、１２０…ＣＰＵ、１３０…外部側通信部、１４０…指針制御データ生成部、１８０…記憶部、２０８…日表示部、２０９…日表示針、２１１…曜表示部、２１２…２４時表示部、２１３…曜表示針、２１４…２４時表示針、２５０…通知部、２７０…発光部、２８０…音出力部、２９０…振動部。
【図１】
2016133442.tif 000003
【図３】
2016133442.tif 000004
【図６】
2016133442.tif 000005
【図７】
2016133442.tif 000006
【図８】
2016133442.tif 000007
【図２】
2016133442.tif 000008
【図４】
2016133442.tif 000009
【図５】
2016133442.tif 000010